(57)【要約】      （修正有）【課題】保温効果、防水効果、滑り止め効果と静電容量式タッチスクリーンを操作できる複合式材質からなる手袋を提供する。【解決手段】手袋本体Ａがあり、上記手袋本体Ａが、複数層の材質から織られ、ライナー層と防水層及び保護層３が備えられ、上記ライナー層が、複数のヤーンを編んでからなり、手袋に縫製されていないもので、各指部の先端が、また、上記防水層の各指部の先端に連接され、上記防水層の各指部の先端が、上記保護層３の各指部の先端に連接されるまま、防水層を裏返すと、上記ライナー層表面に覆う状態になり、それから、保護層３が、裏返されることにより、上記防水層の表面に覆う状態になる。【選択図】図１
0003177925.tif 000002
【実用新案登録請求の範囲】
【請求項１】
複数層の材質から織られてなる手袋本体がライナー層と防水層及び保護層を備えてなり、上記ライナー層と防水層及び保護層に、それぞれ、袋部と複数の指部及び手首部が設けられる手袋であって、
上記ライナー層が、複数のヤーンを編成してなるものであり、手袋に縫製されていないものであり、各指部の先端が、上記防水層の各指部の先端に連接されると共に上記防水層の各指部の先端が、上記保護層の各指部の先端に連接されると共に、防水層を裏返すことにより上記ライナー層表面を覆う状態になり、次いで、保護層が、裏返されることにより、上記防水層の表面を覆う状態になる
ことを特徴とする複合式材質からなる手袋。
【請求項２】
上記ライナー層と防水層及び保護層の袋部に、手の平領域と手の甲領域が形成されてなることを特徴とする請求項１に記載の複合式材質からなる手袋。
【請求項３】
上記防水層の各指部の先端に、連接領域が形成されてあり、上記連接領域が、上記ライナー層の各指部の先端に連接され、防水層を裏返すことにより、上記ライナー層表面に覆う状態になることを特徴とする請求項１に記載の複合式材質からなる手袋。
【請求項４】
上記保護層において、手の平領域と手の甲領域の表面に、幾何形状である図柄縫製領域が形成されてあることを特徴とする請求項２に記載の複合式材質からなる手袋。
【請求項５】
上記保護層において、手の平領域と指部に、少なくとも一つの滑り止めのための突出部が形成されることを特徴とする請求項２に記載の複合式材質からなる手袋。
【請求項６】
上記複数の指部の先端に、それぞれ、接触領域が形成されることを特徴とする請求項１に記載の複合式材質からなる手袋。
【請求項７】
上記各接触領域が、導電可能なヤーンにより、織られて形成されてなることを特徴とする請求項６に記載の複合式材質からなる手袋。
【請求項８】
上記ライナー層の手首部と防水層の手首部及び保護層の手首部が、縫製により結合されてなることを特徴とする請求項１に記載の複合式材質からなる手袋。
【考案の詳細な説明】
【技術分野】
【０００１】
本考案は、手袋に関するものであり、さらに詳しくは、複合式材質からなる手袋、特に、手部に用いられる手袋構造であり、複数層の材質から織られて結合され、保温や防水及び滑り止めの効果が得られる手袋構造に関するものである。
【背景技術】
【０００２】
図７は、手袋の従来構造を示したものである。上記手袋は、編み物からなる手袋４からなり、上記手袋４は、人の手に合わせて編成された手の平部４１と指部４２とからなり、上記手袋４は、繊維糸材質から編成されて作製されたものである。上記の従来の手袋は、繊維糸の間に、隙間が介在するため、完全な保温や防水及び滑り止めの効果が得られないという問題があった。
【０００３】
実公平６−３８０８２号公報（以下、「特許文献１」という。）には、指部と手の平部と手首部と腕部が連続して形成された防水手袋であって、腕部の周囲に多数の縦リブを長手方向に設け、各縦リブを補強リブで連結し通気筒を設けた防水用手袋が記載されている。
【０００４】
しかし、特許文献１には、防水効果の他に保温効果および滑り止め効果を総合的に有する点については開示がない。
【０００５】
また、特許第４８１８１２９号公報（以下、「特許文献２」という。）には、手袋基体の内面に開口した無数の凸部が形成されていることにより着脱性に優れ、さらさら感があり、良好な風合いが得られると記載されている。
【０００６】
しかし、特許文献２にも保温性、防水性および滑り止め性を総合した効果については開示されていない。
【特許文献１】実公平６−３８０８２号公報
【特許文献２】特許第４８１８１２９号公報
【考案の概要】
【考案が解決しようとする課題】
【０００７】
本考案の主な課題は、保温効果が得られる複合式材質からなる手袋を提供することにある。
【０００８】
本考案の他の課題は、防水効果が得られる複合式材質からなる手袋を提供することにある。
【０００９】
本考案の更に他の課題は、滑り止め効果が得られる複合式材質からなる手袋を提供することにある。
【００１０】
また、本考案の更に他の課題は、静電容量式タッチスクリーンを操作できる複合式材質からなる手袋を提供することにある。
【課題を解決するための手段】
【００１１】
そこで、本考案者は、前記の本考案の課題を解決するため、鋭意検討を重ねた結果、性能の異なる複数層の材質を重ね合わせることにより、前記課題を解決できることに着目し、かかる知見に基づいて本考案に想到するに至った。
【００１２】
請求項１の考案によれば、
かくして、複数層の材質から織られてなる手袋本体が、ライナー層と防水層及び保護層を備えてなり、上記ライナー層と防水層及び保護層に、それぞれ、袋部と複数の指部及び手首部が設けられる手袋であって、
上記ライナー層が、複数のヤーンを編成してなり、手袋に縫製されていないものであり、各指部の先端が、また、上記防水層の各指部の先端に連接され、上記防水層の各指部の先端が、上記保護層の各指部の先端に連接されると共に、防水層を裏返すことにより、上記ライナー層表面に覆う状態になり、次いで、保護層が、裏返されることにより、上記防水層の表面に覆う状態になることを特徴とする複合式材質からなる手袋が提供される。
【００１３】
請求項２の考案によれば、上記ライナー層と防水層及び保護層の袋部に、手の平領域と手の甲領域が形成されることを特徴とする請求項１に記載の複合式材質からなる手袋が提供される。
【００１４】
請求項３の考案によれば、上記防水層の各指部の先端に、連接領域が形成され、上記連接領域が、上記ライナー層の各指部の先端に連接され、防水層を裏返すことにより、上記ライナー層表面に覆う状態になることを特徴とする請求項１に記載の複合式材質からなる手袋が提供される。
【００１５】
請求項４の考案によれば、上記保護層において、手の平領域と手の甲領域の表面に、幾何形状である図柄縫製領域が形成されることを特徴とする請求項２に記載の複合式材質からなる手袋が提供される。
【００１６】
請求項５の考案によれば、上記保護層において、手の平領域と指部に、少なくとも一つの滑り止めのための突出部が形成されることを特徴とする請求項２に記載の複合式材質からなる手袋が提供される。
【００１７】
請求項６の考案によれば、上記複数の指部の先端に、それぞれ、接触領域が形成されてなることを特徴とする請求項１に記載の複合式材質からなる手袋が提供される。
【００１８】
請求項７の考案によれば、上記各接触領域が、導電可能なヤーンにより、織られてなることを特徴とする請求項６に記載の複合式材質からなる手袋が提供される。
【００１９】
請求項８の考案によれば、上記ライナー層の手首部と防水層の手首部及び保護層の手首部が、縫製により結合されることを特徴とする請求項１に記載の複合式材質からなる手袋が提供される。
【考案の効果】
【００２０】
本考案に係る手袋は、上記の通りの構成からなることにより、保温性および防水性に優れ、また、滑り止め効果においても優れたものであり、総合的に三つの性能をすべて備えた点で著しく顕著な効果を奏するものである。
【考案を実施するための最良の形態】
【００２１】
以下、図面を参照しながら、本考案の特徴や技術内容について、詳しく説明するが、それらの図面等は、参考や説明のためであり、本考案は、それらによって限定されるものではない。
【００２２】
図１乃至図３に示すように、本考案は、手袋本体Ａがあり、上記手袋本体Ａは、複数層の材質から織られ、ライナー層１と防水層２及び保護層３が備えられたものである。
【００２３】
ライナー層１は、全体として、手の平と手の指を覆う形状になり、上記ライナー層１は、手の平を覆う手の甲領域１１１と手の平領域１１２により、袋部１１が形成される。上記袋部１１の先端に、複数の指部１２が形成され、上記複数の指部１２の先端に、それぞれ、接触領域１２１が設けられる。また、上記袋部１１の後端に、手首部１３が伸び、上記手首部１３が、手が入れ込まれると、緊密に手首に密着する状態になる。
【００２４】
防水層２は、全体として、手の平と手の指を覆う形状になり、上記防水層２は、手の平を覆う手の甲領域２１１と手の平領域２１２により、袋部２１が形成される。上記袋部２１の先端に、複数の指部２２が形成され、上記複数の指部２２の先端に、それぞれ、接触領域２２１が設けられる。また、上記袋部２１の後端に、手首部２３が伸び、上記手首部２３が、手部が入れ込まれると、緊密に手首に密着する状態になる。
【００２５】
保護層３は、全体として、手の平と手の指を覆う形状になり、上記保護層３は、手の平を覆う手の甲領域３１１と手の平領域３１２により、袋部３１が形成される。上記手の甲領域３１１と手の平領域３１２の表面に、多様化状態で異なる面積の図柄領域３４が交錯して形成される。上記袋部３１の先端に、複数の指部３２が伸び、上記複数の指部３２の先端に、それぞれ、接触領域３２１が設けられる。また、上記袋部３１の後端に、手首部３３が伸び、上記手首部３３は、収束性があり、手部が入れ込まれると、手首に覆う状態になる。
【００２６】
以上の構造によれば、具体的に説明すると、本考案に係る手袋は、複数層の材質から編んでなり、ライナー層１と防水層２及び保護層３に分けられる。上記ライナー層１と防水層２及び保護層３には、それぞれ、袋部１１、２１、３１と複数の指部１２、２２、３２及び手首部１３、２３、３３が設けられ、上記ライナー層１は、複数のヤーンを編んでなるものであり、手袋に縫製されていないものであり、上記ヤーン材質は、ナイロン編み糸材質やアクリル繊維材質である。上記ナイロン編み糸は、長繊維編み物や短繊維編み物材質である。上記ライナー層１の各指部１２の先端が、上記防水層２の各指部２２の先端に連接され、防水層２を裏返すことにより、上記ライナー層１の表面に覆う状態になり（図２のように、本考案の第一の作製過程である。）、この場合、更に、上記防水層２の各指部２２の先端と上記保護層３の各指部３２の先端とが連接されると共に、セットしてから、保護層３を裏返すと、上記防水層２の表面に覆う状態になり（図３のように、本考案の第二の作製過程である。）、上記ライナー層１の手首部１３と防水層２の手首部２３及び保護層３の手首部３３は、三者が、縫製により結合されるため、これにより、本考案に係る複合式材質からなる手袋構造が完成する。また、上記防水層２の各指部２２の先端と保護層３の各指部３２とは、縫製糸により、縫い合わせることにより、縫製領域が形成され、上記防水層２の各指部２２の先端に、連接領域２２２が設けられ、上記連接領域２２２と上記ライナー層１の各指部１２の先端が連接され、防水層２を裏返すと、上記ライナー層１の表面に覆う状態になる（図４に示すように、本考案の他の第一の作製過程である。）。
【００２７】
また、図５と図６のように、上記手袋本体Ａは、ライナー層１と防水層２及び保護層３を縫製してなるものであり、そのため、全体として、着用したときの保温や防水効果が向上し、上記各ライナー層１と防水層２及び保護層３の上記各指部１２、２２、３２の各触り領域１２１、２２１、３２１は、図５に示すように導電可能なヤーンにより編まれてからなるため、着用したとき、静電容量式タッチスクリーンを操作できる効果が得られる。そして、上記保護層３の袋部３１の手の平領域３１２と指部３２に、少なくとも一つの突出状である滑り止め層３５が設けられているため、滑り止め状態になり、上記手の平領域３１２と接触する面との間に、摩擦力が得られるので、図６に示すように全体として、着用するときには顕著な滑り止め効果を奏することができる。
【００２８】
以上は、本考案のより良い実施形態であり、本考案は、それらによって限定されるものではなく、本考案に係わる実用新案登録請求の範囲や明細書の内容に基づいて行った等価の変更や修正は、全てが、本考案の実用新案登録請求の範囲内に含まれる。
【図面の簡単な説明】
【００２９】
【図１】本考案の一実施形態による手袋の斜視図である。
【図２】本考案の一実施形態による手袋の第一の作製過程を示す説明図である。
【図３】本考案の一実施形態による手袋の第二の作製過程を示す説明図である。
【図４】本考案の一実施形態による手袋の他の第一の作製過程を示す説明図である。
【図５】本考案の一実施形態による手袋の組み立て一部断面図である。
【図６】本考案の一実施形態による手袋の他の実施図である。
【図７】従来の手袋の構造を示す斜視図である。
【符号の説明】
【００３０】
本考案
Ａ  手袋本体
１  ライナー層
１１  袋部
１１１  手の甲領域
１１２  手の平領域
１２  指部
１２１  接触領域
１３  手首部
２  防水層
２１  袋部
２１１  手の甲領域
２１２  手の平領域
２２  指部
２２１  接触領域
２２２  連接領域
２３  手首部
３  保護層
３１  袋部
３１１  手の甲領域
３１２  手の平領域
３２  指部
３２１  接触領域
３３  手首部
３４  図柄縫製領域
３５  滑り止め層
従来
４  手袋
４１  手の平部
４２  指部
【図１】
0003177925.tif 000003
【図２】
0003177925.tif 000004
【図３】
0003177925.tif 000005
【図４】
0003177925.tif 000006
【図５】
0003177925.tif 000007
【図６】
0003177925.tif 000008
【図７】
0003177925.tif 000009